(57)【特許請求の範囲】
【請求項１】
ディスプレイスクリーンを有し、
前記ディスプレイスクリーン上に表示された画像を制御する制御パネルを有し、この制御パネルは、スライドするコントローラ及び多数の異なる表示モードを循環させるファンクションキーを有する、表示装置において、
前記表示装置は、第１の表示モードを含み、この第１の表示モードでは、前記スライドするコントローラが、前記表示された画像の色の組み合わせを変えるために使用され、
前記表示装置は、第２の表示モードを含み、この第２の表示モードでは、前記スライドするコントローラが、前記ディスプレイスクリーン内で画像を位置決めするために使用され、
前記表示装置は、第３の表示モードを含み、この第３の表示モードでは、前記スライドするコントローラが、画像を拡大するために使用される表示装置。
【請求項２】
ディスプレイスクリーンを有し、
ハウジングを有し、
前記ディスプレイスクリーンを前記ハウジングに枢動可能に連結させるヒンジを有する表示装置において、
前記ヒンジは、前記ディスプレイスクリーン上に表示された画像を制御する制御パネルを有し、この制御パネルは、スライドするコントローラ及び多数の異なる表示モードを循環させるファンクションキーを有し、
少なくとも１つの表示モードが提供され、当該表示モードでは、前記スライドするコントローラが、表示された画像の色の組み合わせを変えるために使用される表示装置。
【請求項３】
少なくとも１つの表示モードが含まれ、前記スライドするコントローラが、前記ディスプレイスクリーン内で画像を位置決めするために使用される請求項２に記載の表示装置。
【請求項４】
少なくとも１つの表示モードが含まれ、前記スライドするコントローラが、画像を拡大するために使用される請求項２に記載の表示装置。
【請求項５】
前記スライドするコントローラは、レオスタットである請求項２に記載の表示装置。
【請求項６】
前記スライドするコントローラは、ポテンショメータである請求項２に記載の表示装置。
【請求項７】
前記スライドするコントローラは、連続する３．５倍〜１４倍の倍率を提供する請求項４に記載の表示装置。
【請求項８】
前記スライドするコントローラは、青／緑、赤／黄、黒／白のうちの少なくとも２つの色の組み合わせを循環させるために使用される、請求項２に記載の表示装置。
【請求項９】
別の表示モードが含まれ、前記スライドするコントローラが、画像を拡大するために使用される請求項３に記載の表示装置。
【請求項１０】
カメラを含むハウジングを有し、
拡大された画像を表示するディスプレイスクリーンを有し、
前記ハウジングを前記ディスプレイスクリーンに枢動可能に連結させるヒンジを有する拡大鏡装置において、
前記ヒンジは、前記ディスプレイスクリーン上に表示された画像を制御する制御パネルを有し、前記制御パネルは、前記ディスプレイスクリーンに対して枢動可能に連結されていて、前記制御パネルは、スライドするコントローラを有し、
少なくとも１つの表示モードが提供され、当該表示モードでは、前記スライドするコントローラが、前記表示された画像の色の組み合わせを変えるために使用される拡大鏡装置。
【請求項１１】
少なくとも１つの表示モードが含まれていて、前記スライドするコントローラが、前記ディスプレイスクリーン内で画像を位置決めするために使用される請求項１０に記載の拡大鏡装置。
【請求項１２】
少なくとも１つの表示モードが含まれていて、前記スライドするコントローラが、画像を拡大するために使用される請求項１０に記載の拡大鏡装置。
【請求項１３】
請求項１０〜１２のいずれか１項に記載の、被写体を拡大するポータブルマルチポジション式の拡大鏡装置において、
外面及び内面並びにこの内面内に位置決めされたディスプレイスクリーンを有するカバーを有し、
前記カバーに枢動可能に連結されている制御パネルを有し、この制御パネルは、前記カメラの倍率を選択的に変えるためのスライドするコントローラを有し、
前部及び後部並びに上面及び下面を有するハウジングを有し、前記前部は、前記制御パネルに枢動可能に連結されていて、前記ハウジングは、その下面内に形成された光学チャンバを有し、この光学チャンバは、部分的に湾曲された内部を有し、
ミラーが、拡大される被写体の画像を反射するために前記光学チャンバ内に位置決めされていて、
センサが、前記ミラーによって反射された画像を感知するために前記光学チャンバ内に取り付けられ、
倍率が、前記スライドするコントローラを通じて選択されることによって、前記センサの出力が、前記ディスプレイスクリーン上で目視可能であり、
光源及び対応する光ガイドが、前記光学チャンバ内に位置決めされ、前記光ガイドが、前記被写体によって受光された光量を選択的に制御し、
支持体が、前記ハウジングの後部に枢動可能に連結されていて、前記支持体が、２つの脚を有し、スペースが、これらの脚の間に形成されていて、前記被写体をスペース内で且つ前記光学チャンバの真下の正しい位置に設置するため、前記支持体が、前記ハウジングに対して枢動可能であるポータブルマルチポジション式の拡大鏡装置。
【請求項１４】
ディスプレイスクリーンを有するカバーを有し、
前記カバーに枢動可能に連結されているヒンジを有し、
前記ヒンジに枢動可能に連結されているハウジングを有し、ユーザに合わせるため、このヒンジは、前記ディスプレイスクリーンを前記ハウジングに対して指向させることを可能にし、
センサが、前記ハウジング内に位置決めされ且つこのハウジングの真下に位置決めされた被写体の画像を撮影するために適合され、その後に、当該画像が、前記ディスプレイスクリーン上に表示され、
支持体が、前記ハウジングに枢動可能に連結されていて、前記被写体を前記センサに対して適切に正しい位置に設置するため、ユーザが、前記支持体を選択的に旋回可能であり、前記ヒンジは、前記ユーザが画像の倍率を選択的に制御することを可能にするためのスライドするコントローラを有し、
前記ヒンジは、前記ディスプレイスクリーンによって表示された色の様々な組み合わせを選択的に循環させるためのスライドするコントローラを有するカメラ。
【請求項１５】
前記支持体は、スペースによって分離されている２つの脚を有し、前記被写体が、スペース内に位置決めされるために適合される請求項１４に記載のカメラ。
【請求項１６】
前記センサは、少なくとも１つの光源及び対応する光ガイドを有し、この光ガイドは、前記被写体に指向される光量を制御する請求項１４に記載のカメラ。
【請求項１７】
前記センサは、ミラーを有し、このセンサは、このミラーから反射された画像を読み取る請求項１４に記載のカメラ。
【請求項１８】
前記センサは、被写体を間接光で照明するために光を反射するために構成されている光学チャンバ内に位置決めされている請求項１４に記載のカメラ。
【請求項１９】
前記センサと前記ディスプレイスクリーンとの間の信号が、低い電位差の信号伝達によって提供される請求項１４に記載のカメラ。
【請求項２０】
ポータブルマルチポジション式のカメラにおいて、
カバー、ヒンジ、ハウジング及び支持体を有し、これらの全てが、枢動可能に相互に連結されていて、
センサが、前記ハウジング内に位置決めされ、ディスプレイスクリーンが、前記カバー内に位置決めされ、前記センサの出力が、前記ディスプレイスクリーン内で目視され得、
前記カバーと前記ヒンジと前記ハウジングと前記支持体との間の枢動可能な相互連結が閉じた配置を可能にし、当該閉じた配置では、前記カバーと前記支持体とが対向する構成にあり、前記ディスプレイスクリーンが隠され、
読み取り位置では、前記カバーが、前記支持体に対して旋回されていて、ユーザが前記ディスプレイスクリーンを目視することを可能にし、
書き込みモードでは、前記カバーと前記支持体との双方が、前記ハウジングに対して旋回されていて、被写体を前記ハウジングの真下に位置決めすることを可能にし、
ハンドヘルドモードでは、前記カバーが、前記ハウジングに対向する関係で旋回されているものの、ディスプレイスクリーンが目視可能であるポータブルマルチポジション式の請求項１４〜１９のいずれか１項に記載のカメラ。
【請求項２１】
盲目又は低視力者のユーザ用のカメラにおいて、
ハウジング及び相互連結されている支持体を有し、
前記カメラによって撮影された画像を目視するためのハウジングに相互連結されているディスプレイスクリーンを有し、
前記カメラが、第１の配置を有し、この第１の配置では、前記支持体が、前記ハウジングに対して角度を成し、
第２の配置では、前記支持体と前記ハウジングとが、同一平面状にある請求項１４〜２０のいずれか１項に記載のカメラ。
【請求項２２】
前記ハウジングは、制御パネルによって前記ディスプレイスクリーンに枢動可能に相互連結されている請求項２１に記載のカメラ。
【請求項２３】
前記支持体は、電源を内蔵する請求項２２に記載のカメラ。
【請求項２４】
整合ガイドが、前記ハウジング及び前記支持体内に形成されている請求項２１に記載のカメラ。
【請求項２５】
前記ディスプレイスクリーンは、前記ハウジングに対向するように旋回され得る請求項２１に記載のカメラ。
【請求項２６】
前記カメラは、拡大鏡カメラであり、レオスタット式のコントローラが、制御パネル上に含まれている請求項２２に記載のカメラ。
【請求項２７】
カメラが、画面内に存在する被写体を拡大するために機能する請求項１４〜２６のいずれか１項に記載のこのカメラ用の照明システムにおいて、
光学チャンバが、画面上に位置決めされるために適合され、この光学チャンバは、反射を促進するために明るく色づけされた内面を有し、この内面は、湾曲した内壁、角度を成す内壁及び当該両内壁の間にある２つの側壁を有し、ミラーが、画面内に存在する被写体の画像を反射するための前記角度を成す内壁の上に位置決めされ、前記ミラーによって反射された画像を記録するため、センサが、このミラーに対向する前記光学チャンバ内に位置決めされ、前記センサの出力が、フィールド・プログラマブル・ゲート・アレイによってディスプレイスクリーンに提供され、
並んでいる複数の光源が、前記光学チャンバの前記側壁の各々の上に位置決めされ、上面及び下面を有する光ガイドが、前記並んでいる複数の光源の各々の上に位置決めされ、前記下面が、前記画面に対して平行であり、前記上面が、前記画面と角度を成し、前記光ガイドが、前記被写体によって受光される直接光及び間接光の量を制御することを支援するために機能し、前記画面が、前記光学チャンバに近接している場合は、前記光ガイドが、より多くの間接光を引き起こし、前記画面が、前記光学チャンバから、より離れている場合は、前記光ガイドが、より多くの直接光を引き起こす照明システム。
【請求項２８】
請求項２７に記載のカメラ用の照明システムにおいて、
光学チャンバを有し、
センサの出力がディスプレイスクリーンに提供される、前記光学チャンバ内に位置決めされたこのセンサを有し、
前記光学チャンバ内に位置決めされた光源を有し、
前記光源に可動に連結されていて、上面及び下面を有する光ガイドを有し、この光ガイドが、拡大される被写体によって受光される直接光及び間接光の量を制御することを支援するために機能する照明システム。
【請求項２９】
前記光学チャンバは、反射を促進するための明るく色づけされた内面を有する請求項２８に記載の照明システム。
【請求項３０】
前記光学チャンバは、湾曲した内壁、角度を成す内壁及び当該両内壁の間にある２つの側壁を有する内面を含む請求項２８に記載の照明システム。
【請求項３１】
ミラーが、拡大される被写体の画像を反射するために角度を成す内壁の上に位置決めされる請求項３０に記載の照明システム。
【請求項３２】
前記光源は、並んでいる複数の発光ダイオードである請求項２８に記載の照明システム。
【請求項３３】
前記拡大される被写体が、前記光学チャンバに近接している場合は、前記光ガイドが、より多くの間接光を引き起こし、前記拡大される被写体が、前記光学チャンバから、より離れている場合は、前記光ガイドが、より多くの直接光を引き起こす請求項２８に記載の照明システム。
【請求項３４】
前記センサは、ＣＭＯＳイメージセンサである請求項２８に記載の照明システム。
【請求項３５】
前記センサの出力が、フィールド・プログラマブル・ゲート・アレイによってディスプレイスクリーンに提供される請求項２８に記載の照明システム。
【請求項３６】
照明システムにおいて、
光の反射を促進するために明るく色づけされ湾曲し角度を成す内面を含む光学チャンバを有し、
前記光学チャンバ内に位置決めされたセンサを有し、このセンサは、前記光学チャンバの真下の被写体の画像を撮影するために機能し、
前記光学チャンバの真下の被写体を照明するための光源及び対応する光ガイドを有し、前記光源及び前記対応する光ガイドが、前記光学チャンバ内に位置決めされていて、この光ガイドが、前記光学チャンバの真下の被写体によって受光される直接光及び間接光の量を制御することを支援するために機能する請求項２７〜３５のいずれか１項に記載の照明システム。
【発明の詳細な説明】
【技術分野】
【０００１】
本発明は、低視力者用の拡大鏡装置に関する。さらに、特に本発明は、様々なディスクリート構成を有するポータブル拡大鏡装置に関する。
【背景技術】
【０００２】
低視力ユーザ用のポータブル拡大鏡の使用が、従来の技術において公知である。しかしながら従来では、これらの拡大鏡は、重くて大きくて扱いにくい。さらに、これらの大半の拡大鏡は、被写体の上側に一定の距離で当該装置を保持することをユーザに要求するただ１つの操作モードだけを有する。
【０００３】
その他の拡大鏡は、カメラを被写体の上側で保持する必要がない。これらの拡大鏡は、当該装置を保持する必要がないものの、当該拡大鏡は、高さ調節による焦点合わせを実現できるだけである。さらに、特に調節機構が、拡大鏡カメラの高さを選択的に調整するために提供される必要がある。しかしながら、これらの調節機構は、大きく且つ複雑になりやすく、容易に搬送できない装置になる。
【０００４】
さらに、被写体の上に設置されるように設計されている拡大鏡は、一般に被写体の頂上部分の上に余裕がないか又は殆どない。このことは、ユーザが被写体とやりとりすることを阻止する。例えば、被写体が書類である場合、その書類が拡大されている場合、ユーザは、その書類に書き込むことができない。
【０００５】
要求されることは、多様な形状及び操作モードを備える拡大鏡である。この場合、ユーザは、被写体の上で装置を保持することによって又は装置を被写体の上に設置することによって使用できる。被写体が拡大されている間でも、ユーザが被写体とやりとりすることを可能にすることが、拡大鏡に対してさらに要求される。拡大鏡を使用しない時に、拡大鏡を保護するコンパクトに閉じた配置になることが、ポータブル拡大鏡に対する分野でも要求される。本発明のポータブルマルチポジション拡大鏡カメラは、これらの要求を十分に満たす。
【先行技術文献】
【特許文献】
【０００６】
【特許文献１】米国特許第７，１７２，３０４号明細書
【発明の概要】
【発明が解決しようとする課題】
【０００７】
本発明の課題のうちの１つの課題は、いろいろな距離の異なる大きさの被写体の目視を最適にするため、ユーザが拡大鏡カメラを様々な目視モードのうちの１つのモードに設定することを可能にする。
【０００８】
本発明の別の課題は、被写体の上に保持され得るか又は被写体の上に位置決めされ得る拡大鏡カメラを提供することにある。
【０００９】
本発明のさらなる課題は、ユーザが被写体とやりとりすることを可能にするスペースを同時に提供しつつ、その被写体の上に位置決めされ得る拡大鏡カメラを提供することにある。
【００１０】
本発明のさらに別の課題は、コンパクトで容易に搬送可能であってカメラの要素を保護する閉じた配置になる拡大鏡カメラを提供することにある。
【００１１】
本発明のもう１つの課題は、機能性及び使用の容易さを向上させるレオスタット式のコントローラを提供することにある。
【００１２】
上述した説明は、従来の技術に対する本発明の貢献がより十分に認識され得るように、以下の本発明の詳細な説明をより良く理解するため、本発明のより適切で且つ重要な特徴を大まかに広く記している。以下に、添付された本発明の特許請求の範囲の課題を達成する本発明のさらなる特徴を説明する。開示されている概念及び特定の実施の形態が、本発明の同じ目的を実施するためのその他の構成を変更又は設計する基礎として容易に利用されることが、当業者によって認識される。当該対応する課題が、添付された特許請求の範囲中で説明されている本発明の思想及び範囲から離れていないことも、当業者によって理解される。
【課題を解決するための手段】
【００１３】
上記の課題は、ディスプレイスクリーンを有し、前記ディスプレイスクリーン上に表示された画像を制御する制御パネルを有し、この制御パネルは、スライドするコントローラ及び多数の異なる表示モードを循環させるファンクションキーを有する、表示装置において、前記表示装置は、第１の表示モードを含み、この第１の表示モードでは、前記スライドするコントローラが、前記表示された画像の色の組み合わせを変えるために使用され、前記表示装置は、第２の表示モードを含み、この第２の表示モードでは、前記スライドするコントローラが、前記ディスプレイスクリーン内で画像を位置決めするために使用され、前記表示装置は、第３の表示モードを含み、この第３の表示モードでは、前記スライドするコントローラが、画像を拡大するために使用される表示装置によって解決される（請求項１）。
さらに、上記の課題は、カメラを含むハウジングを有し、拡大された画像を表示するディスプレイスクリーンを有し、前記ハウジングを前記ディスプレイスクリーンに枢動可能に連結させるヒンジを有する拡大鏡装置において、前記ヒンジは、前記ディスプレイスクリーン上に表示された画像を制御する制御パネルを有し、前記制御パネルは、前記ディスプレイスクリーンに対して枢動可能に連結されていて、前記制御パネルは、スライドするコントローラを有し、少なくとも１つの表示モードが提供され、当該表示モードでは、前記スライドするコントローラが、前記表示された画像の色の組み合わせを変えるために使用される拡大鏡装置によって解決される（請求項１０）。
さらに、上記の課題は、ディスプレイスクリーンを有するカバーを有し、前記カバーに枢動可能に連結されているヒンジを有し、前記ヒンジに枢動可能に連結されているハウジングを有し、ユーザに合わせるため、このヒンジは、前記ディスプレイスクリーンを前記ハウジングに対して指向させることを可能にし、センサが、前記ハウジング内に位置決めされ且つこのハウジングの真下に位置決めされた被写体の画像を撮影するために適合され、その後に、当該画像が、前記ディスプレイスクリーン上に表示され、支持体が、前記ハウジングに枢動可能に連結されていて、前記被写体を前記センサに対して適切に正しい位置に設置するため、ユーザが、前記支持体を選択的に旋回可能であり、前記ヒンジは、前記ユーザが画像の倍率を選択的に制御することを可能にするためのスライドするコントローラを有し、前記ヒンジは、前記ディスプレイスクリーンによって表示された色の様々な組み合わせを選択的に循環させるためのスライドするコントローラを有するカメラによって解決される（請求項１４）。
【図面の簡単な説明】
【００１４】
【図１】読み取りモードでの本発明の拡大鏡カメラの投影図である。この場合、当該拡大鏡は、被写体の上に設置される。
【図２ａ】読み取りモードから閉じた形状に再設定された拡大鏡カメラの投影図である。
【図２ｂ】読み取りモードから閉じた形状に再設定された拡大鏡カメラの追加の投影図である。
【図２ｃ】閉じた形状での拡大鏡カメラの投影図である。
【図３】カメラ及び協働するミラーを示す拡大鏡カメラの裏面の詳細図である。
【図４】本発明の発光チャンバの展開図である。
【図５】どのようにして発光が本発明の発光チャンバ内で分布されるかを示す図である。
【図６】書き込みモードでの拡大鏡カメラの投影図である。
【図７】ハンドヘルドモードでの拡大鏡カメラの投影図である。
【図８】操作の検査モードでの拡大鏡カメラ投影図である。
【図９】操作の検査モードでの拡大鏡カメラ投影図である。
【発明を実施するための形態】
【００１５】
本発明は、様々な形状に選択式に位置決めされ得るポータブル拡大鏡カメラに関する。少なくとも４つの目視する形状が提供される：読み取りモード、この場合、カメラが、被写体の上に水平に設置される；書き込みモード、この場合、カメラが、被写体の上に角度を成して設置される；ハンドヘルドモード、この場合、ユーザは、カメラを離れた被写体に対して保持する；検査モード、この場合、ユーザは、被写体をカメラに近接させて保持する。これらの形状は、ユーザがいろいろな大きさで且つ変化する距離で被写体を効率的に目視することを可能にする。
【００１６】
本発明のカメラ１０が、図１中に示されている。当該カメラ１０は、４つのハウジング要素を有する。当該カメラ１０が、多様な別々の形状を提供するように、これらのハウジング要素は、枢動可能に相互に連結されている。これらのハウジング要素は、カバー２０、制御パネル３０、ハウジング４０及び支持体６０を有する。これらの要素は、好ましくは軽量の衝撃に強い樹脂から構成される。アクリロニトリル・ブタジエン・スチレン（ＡＢＳ）樹脂又はその他の相当する樹脂が好ましい。
【００１７】
カバー２０は、その内側の面内に位置決めされたＬＣＤスクリーン２２を有する。当該内側の面は、対向する凹部２４を有する。この凹部２２は、スクリーン２２がユーザによって容易に把持され且つ操作されることを可能にする。カメラ１０が、閉じた形状にある時に（図２ｃ参照）、カバー２２の外側の面が、カメラ１０の当該異なる要素を保護するために役立つ。スクリーン２２は、好ましくはフルカラーのビデオ・グラフィックス・アレイ（ＶＧＡ）のディスプレイである。ＬＣＤスクリーン２２に対する入力は、カメラのハウジング４０に内蔵されているフィールド・プログラマブル・ゲート・アレイ（ＦＰＧＡ）から入力される。好適な実施の形態では、小電圧差動信号伝送方式（ＬＶＤＳ）が、ＬＣＤスクリーン２２に対するＦＰＧＡの相互接続で採用されている。このことは、スクリーン２２上での純粋なデジタル出力を意味し、カメラ１０が外付けのモニタ（図示せず）に接続されて使用されることも可能にする。
【００１８】
カバー２０は、制御パネル３０に枢動可能に相互に連結されている。制御パネル３０は、制御パネル３０は、中央に設置されたスライダ３２及び隣接したタッチパネル３４及び３６を有する。スライダ３２は、１つ又はより多くのカメラ機能の様々な制御を提供する。可変制御は、レオスタット、ポテンショメータ又はその他の相当するもののような可変抵抗器によって実施され得る。制御部３４は、被写体の「スナップショット」を撮影するために使用され得る。これらの静止画像は、後で見るために記憶器内に記憶され得る。制御部３６は、スライダ３２によって制御されるモードを循環させるために使用され得る。
【００１９】
あるモーでは、スライダ３２は、カメラの倍率を変えるために使用される。例えば、（図１中に示されたように）スライダを右に移動させることによって、ユーザは、倍率を３．５倍から１４倍に連続して変化させることができる。別のモードでは、スライダ３２は、スクリーン２２の色の組み合わせを変えるために使用される、すなわち低視力ユーザにとって見やすくするために、ＬＣＤスクリーン２２は、被写体を、青／緑、赤／黄又は黒／白のような様々な色の組み合わせで表示できる。したがって、スライダ３２は、様々な色の組み合わせを循環させて、ユーザにとって最も有効な出力を見つけ出すために使用され得る。この特徴は、ライブ画像の目視とカメラの記憶器内に記憶されている静止画像との双方に関して使用され得る。当該双方の場合において、スライダ３２には、ユーザが様々な色の選択を容易に循環させることを可能にするという利点がある。
【００２０】
スライダ３２は、カメラの静止画像又はライブ画像をナビゲイトするためにも使用され得る。例えば、あるモードでは、当該スライダの移動が、複数の画像を右から左にシフトさせる。別のモードでは、当該スライダの移動が、複数の画像を上下にシフトさせる。当該垂直ナビゲーションモードと水平ナビゲーションモードとの双方が、拡大モードに関して使用され得、ユーザが画像のあらゆる部分を拡大表示させることを可能にする。
【００２１】
図２ａ〜２ｃ中に示すように、カメラのハウジング４０は、制御パネル３０に枢動可動に連結されている。したがって、事実上、制御パネル３０は、カバー２０とハウジング４０との間のヒンジとして作用する。図１を参照すると、ハウジング４０は、カメラ１０を外付けのモニタ又はテレビに接続するための出力端子５２を有する。電源ボタン５０が、ハウジング４０の対向する側面にも存在する（図３参照）。さらに、本発明の拡大鏡装置は、閉じた形状（図２ｃ）で自動的に電源オフされるように構成され得る。
【００２２】
カメラ１０に関連する光学要素が、カメラのハウジング４０内に位置決めされたチャンバ４２に内蔵されている。図３及び４中に示したように、これらの光学要素は、センサ４４、ミラー４６、光源４８、光ガイド５４及び光学レンズ５６を有する。チャンバ４２は、好ましくは円い内面を有する。反射を促進するため、当該内面は明るく色づけされている。光源４８は、好ましくは２列の発光ダイオード（ＬＥＤ）である。これらの発光ダイオードは、チャンバ４２内の垂直面に取り付けられている。冷陰極蛍光ランプ（ＣＣＦＬ）のようなその他の光源が、本発明に関して使用されてもよい。さらに、その他の光源が、当業者によって容易に選定され得る。光ガイドは、光をＬＥＤから被写体とチャンバ４２の内部の双方に指向させるときに使用される。適切な光ガイドは、Rodriguez等に対して登録された米国特許第７，１７２，３０４号明細書中に記されている。当該構成の内容が、この明細書中に十分に記載されている。センサ４４は、好ましくは３メガピクセルのＣＭＯＳイメージセンサである。このようなセンサは、商業的に入手可能であり、当業者が、対応する適切なセンサを認定できる。当該イメージセンサの出力が、ＦＰＧＡ及びイメージバッファに提供される。
【００２３】
チャンバ４２は、使用中に被写体の上に設置されるか又は被写体に向けて位置決めされる。次いで、被写体の画像が、ミラー４６によって入手される。ミラー４６によって反射された画像を記録するため、センサ４４及びレンズ５６は、チャンバ４２内に位置決めされる。しかしながら、その他の構成の使用も、本発明の範囲内である。チャンバ４２を被写体に対して適切に指向させるときに、盲目又は低視力のユーザをアシストするため、整合ガイド５３が、ハウジングの側面に存在する。
【００２４】
光ガイドに対して供給された光は、被写体に提供される直接光及び間接光の選択的な制御を可能にするための調整も可能である。すなわち、読み取りモードでの被写体のような近い被写体に対しては、光ガイド５４からの光が、チャンバ４２の内側に直接入射される結果、使用される間接光の量を増大させる。このことは、より多くの光を光源５４の上面５４ａを通じて直接入射させることによって実現される。生じる間接光は、近くに位置決めされた被写体に対して望ましい。これに対して、書き込みモード及びハンドヘルドモードでは、光が、主に光ガイド５４の下面５４ｂを通じて直接入射される。その結果、離れた被写体が、当該条件で望まれるより多くの直接光によって照明される。
【００２５】
以下に、カメラ１０の様々な形状を説明する。これらの形状は、ハウジング４０を制御パネル３０と支持体６０との双方に枢動可能に相互に連結することによって実現される。さらに、特にハウジング４０の前端部が、制御パネル３０に連結されている一方で、その後端部は、支持体６０に連結されている。しかしながら、好適な実施の形態では、支持体６０とハウジング４０との間の連結が、限定された程度の角度調整だけを可能にする。支持体６０は、好ましくは２つの対向する脚６０ａ及び６０ｂ（図６参照）から形成される。カメラ１０による被写体の遮られない目視を可能にするため、スペース６２が、脚６０ａと脚６０ｂとの間に提供される。以下で十分に説明するように、追加のスペースが、ハウジング４０を支持体６０に対して旋回させることによって形成される。電源（図示せず）が、好ましくは１つの脚又は両脚６０ａ及び６０ｂに内蔵される。当該電源は、例えば再充電可能なリチウムイオン電池でもよい。
【００２６】
読み取りモード
読み取りモードが、図１中に示されている。この読み取りモードでは、支持体６０が、被写体の上に設置されている。カバー２０と制御パネル３０とが、ユーザによる最適な目視のために角度を成し得る。当該角度は、テキストのページのような薄い被写体を目視するために好ましいモードである。この場合、ユーザがその被写体とやりとりする必要がない。より多くの間接光を提供するため、光ガイド５４が、読み取りモード中に調整され得る。センサ４４が、被写体に対してより近くに存在することに起因して、間接光は、読み取りモードで望ましい。
【００２７】
書き込みモード
ユーザが、被写体とやりとりすることが必要である場合、書き込みモードが望ましい。当該書き込みモードは、図６中に示されている。このモードでは、支持体６０が、被写体の上に再度設置される。読み取りモードとは違って、支持体４０が、支持体６０に対して僅かに旋回されている。好適な実施の形態では、この角度は、４５度未満である。スペース６２が、支持体４０を旋回させることによって上方に形成される。スペース６２は、ユーザが例えば被写体に書き込むことを可能にする。このモードは、例えばユーザが書類に署名するか又は小切手を書くことを希望するときに使用され得る。光ガイド５４が、より多くの直接光を提供する書き込みモード中に調整され得る。センサ４４が、被写体からさらに離れていることに起因して、直接光が、当該書き込みモードで望ましい。
【００２８】
ハンドヘルドモード
ハンドヘルドモードが、図７中に示されている。ここでは、カバー２０の外面が、支持体４０に接触するように、当該カバー２０が旋回される。さらに、支持体６０が、被写体の上に設置される代わりに、支持体の脚６０ａ及び６０ｂが、ユーザによって把持される。当該把持は、カメラ１０を手に取って離れた被写体に向けることを可能にする。制御部３４が、この目視中に被写体「Ｏ」の静止画像を撮影するために使用され得る。
【００２９】
検査モード
最後に、カメラ１０の検査モードが図８及び９中に示されている。この検査モードでは、支持体６０が旋回される結果、チャンバ４２がユーザに向けられる。その結果、ユーザは、被写体「Ｏ」を検査のためにカメラの前で保持できる。図８及び９によって示したように、ＬＣＤスクリーン２２が、当該検査モード中に異なる方向に位置決めされ得る。
【００３０】
当該開示内容は、上述した説明と同様に特許請求の範囲に記載されている。本発明は、特定の好適な形態で説明されているものの、この好適な形態の開示内容は、例示にすぎず、構成の詳細の多くの変更及び部分の組み合わせ及び配置が、本発明の思想及び範囲から放れることなしに当該本発明に含まれる。
【符号の説明】
【００３１】
１０    カメラ、表示装置、カメラ装置、ポータブルカメラ
２０    カバー
２２    ＬＣＤスクリーン、ディスプレイスクリーン、液晶ディスプレイ、出力ディスプレイ
２４    凹部
３０    制御パネル
３２    スライダ、スライドするコントローラ
３４    制御部
３６    制御部
４０    ハウジング、カメラハウジング
４２    チャンバ、光学チャンバ
４４    センサ、センサアセンブリ、ＣＭＯＳイメージセンサ
４６    ミラー
４８    光源
５０    電源ボタン
５２    出力端子
５３    整合ガイド
５４    光ガイド
５４ａ  上面
５４ｂ  下面
５６    レンズ
６０    支持体
６０ａ  脚部
６０ｂ  脚部
６２    スペース
Ｏ      被写体
【図１】
0005600676.tif 000002
【図２ａ】
0005600676.tif 000003
【図２ｂ】
0005600676.tif 000004
【図２ｃ】
0005600676.tif 000005
【図３】
0005600676.tif 000006
【図４】
0005600676.tif 000007
【図５】
0005600676.tif 000008
【図６】
0005600676.tif 000009
【図７】
0005600676.tif 000010
【図８】
0005600676.tif 000011
【図９】
0005600676.tif 000012